(57)【特許請求の範囲】
【請求項１】
本文用の画像の像形成がなされた本文用の複数枚のシートで構成される本文用のシート束を背表紙部分を基準にカバー可能な表紙用の１枚のシートの為に画像処理を実行可能な画像処理装置であって、
前記背表紙部分の幅を設定する設定手段と、
表表紙の画像と裏表紙の画像とを入力する入力手段と、
前記背表紙部分の幅と前記表表紙の画像を変倍した画像の前記表紙用の１枚のシートの長手方向の長さと前記裏表紙の画像を変倍した画像の前記表紙用の１枚のシートの長手方向の長さとを加算した長さが、前記表紙用の１枚のシートの長手方向の長さに応じた長さとなるように、前記表表紙の画像と前記裏表紙の画像とをそれぞれ変倍する第１の変倍手段と、
前記表紙用の１枚のシートの同一面上に、前記第１の変倍手段により変倍された前記表表紙用の画像と前記第１の変倍手段により変倍された前記裏表紙用の画像とを、少なくとも前記背表紙部分の幅の間隔を空けて配置させる第１の制御手段とを有することを特徴とする画像処理装置。
【請求項２】
前記表表紙の画像を変倍した画像の前記表紙用の１枚のシートの短手方向の長さ又は前記裏表紙の画像を変倍した画像の前記表紙用の１枚のシートの短手方向の長さが、前記表紙用の１枚のシートの短手方向の長さに応じた長さとなるように、前記表表紙の画像と前記裏表紙の画像とをそれぞれ変倍する第２の変倍手段と、
前記表紙用の１枚のシートの同一面上に、前記第２の変倍手段により変倍された前記表表紙用の画像と前記第２の変倍手段により変倍された前記裏表紙用の画像とを、少なくとも前記背表紙部分の幅の間隔を空けて配置させる第２の制御手段とを更に有することを特徴とする請求項１に記載の画像処理装置。
【請求項３】
前記表表紙の画像と前記裏表紙の画像とをそれぞれ変倍する変倍手段として、前記第１の変倍手段又は前記第２の変倍手段を選択する選択手段を更に有し、
前記画像処理装置は、前記選択手段により前記第１の変倍手段が選択された場合、前記第１の変倍手段により前記表表紙の画像と前記裏表紙の画像とをそれぞれ変倍し、当該変倍された表表紙用の画像と裏表紙用の画像とを前記第１の制御手段により配置させ、前記選択手段により前記第２の変倍手段が選択された場合、前記画像処理装置は、前記第２の変倍手段により前記表表紙の画像と前記裏表紙の画像とをそれぞれ変倍し、当該変倍された表表紙用の画像と裏表紙用の画像とを前記第２の制御手段により配置させることを特徴とする請求項２に記載の画像処理装置。
【請求項４】
前記選択手段は、前記表表紙の画像と前記裏表紙の画像とをそれぞれ変倍する変倍手段として、前記第１の変倍手段と前記第２の変倍手段とのうち前記表表紙の画像と前記裏表紙の画像とをそれぞれ変倍する際の変倍率の大きい方の変倍手段を選択することを特徴とする請求項３に記載の画像処理装置。
【請求項５】
前記選択手段は、前記表表紙の画像と前記裏表紙の画像とをそれぞれ変倍する変倍手段として、前記第１の変倍手段と前記第２の変倍手段とのうち前記表表紙の画像と前記裏表紙の画像とをそれぞれ変倍する際の変倍率の小さい方の変倍手段を選択することを特徴とする請求項３に記載の画像処理装置。
【請求項６】
前記背表紙部分の幅と前記表表紙の画像を変倍した画像の前記表紙用の１枚のシートの長手方向の長さと前記裏表紙の画像を変倍した画像の前記表紙用の１枚のシートの長手方向の長さとを加算した長さが、前記表紙用の１枚のシートの長手方向の長さに応じた長さとなり、前記表表紙の画像を変倍した画像の前記表紙用の１枚のシートの短手方向の長さ又は前記裏表紙の画像を変倍した画像の前記表紙用の１枚のシートの短手方向の長さが、前記表紙用の１枚のシートの短手方向の長さに応じた長さとなるように、前記表表紙の画像と前記裏表紙の画像とをそれぞれ変倍する第３の変倍手段と、
前記表紙用の１枚のシートの同一面上に、前記第３の変倍手段により変倍された前記表表紙用の画像と前記第３の変倍手段により変倍された前記裏表紙用の画像とを、少なくとも前記背表紙部分の幅の間隔を空けて配置させる第３の制御手段とを更に有することを特徴とする請求項１に記載の画像処理装置。
【請求項７】
複数の用紙給紙段から用紙給紙段を指定する指定手段を有し、
前記画像処理装置は、前記指定手段により指定された用紙給紙段に格納された用紙を前記表紙用のシートとして用いることを特徴とする請求項１乃至６の何れか１項に記載の画像処理装置。
【請求項８】
前記表表紙の画像と前記裏表紙の画像とを読み取る読取手段を更に有し、
前記入力手段は、前記読取手段により読み取られた前記表表紙の画像と前記裏表紙の画像とを入力することを特徴とする請求項１乃至７の何れか１項に記載の画像処理装置。
【請求項９】
前記制御手段により配置された前記表表紙用の画像と前記裏表紙用の画像とに基づき、前記表紙用の１枚のシートの同一面上に画像を形成する画像形成手段を更に有することを特徴とする請求項１乃至８の何れか１項に記載の画像処理装置。
【請求項１０】
本文用の画像の像形成がなされた本文用の複数枚のシートで構成される本文用のシート束を背表紙部分を基準にカバー可能な表紙用の１枚のシートの為に画像処理を実行可能な画像処理装置の制御方法であって、
前記背表紙部分の幅を設定する設定ステップと、
表表紙の画像と裏表紙の画像とを入力する入力ステップと、
前記背表紙部分の幅と前記表表紙の画像を変倍した画像の前記表紙用の１枚のシートの長手方向の長さと前記裏表紙の画像を変倍した画像の前記表紙用の１枚のシートの長手方向の長さとを加算した長さが、前記表紙用の１枚のシートの長手方向の長さに応じた長さとなるように、前記表表紙の画像と前記裏表紙の画像とをそれぞれ変倍する第１の変倍ステップと、
前記表紙用の１枚のシートの同一面上に、前記第１の変倍ステップにより変倍された前記表表紙用の画像と前記第１の変倍ステップにより変倍された前記裏表紙用の画像とを、少なくとも前記背表紙部分の幅の間隔を空けて配置させる第１の制御ステップとを有することを特徴とする制御方法。
【請求項１１】
請求項１０に記載の制御方法をコンピュータに実行させるためのプログラムを記憶したことを特徴とするコンピュータが読取可能な記憶媒体。
【発明の詳細な説明】
【０００１】
【発明の属する技術分野】
本発明は、本文用の画像の像形成がなされた本文用の複数枚のシートで構成される本文用のシート束を背表紙部分を基準にカバー可能な表紙用の１枚のシートの為に画像処理を実行可能な画像処理装置の制御に関するものである。
【０００２】
【従来の技術】
従来の複写機等の画像処理装置は、画像形成速度の高速化に伴い大量印刷が可能となっており、パンフレット及び簡易な本の作成が簡単にできるようになってきている。このような製本作業を行うときなどに、あらかじめ本文となる中身を綴じ込むための表紙部分と裏表紙部分に画像を印刷した表紙用用紙を出力しておき、この用紙に本文を挟み込んで製本を行う方法が用いられている。
【０００３】
この表紙用用紙は本文の厚みを考慮した背表紙部を確保して作成する必要がある。この背表紙部を確保するために、別々に読み込んだ表表紙原稿と裏表紙原稿とを指定した背表紙の間隔を空けて印刷する画像処理装置が提案されている。
【０００４】
上記の画像処理装置において、表紙を作成するには、指定される表紙用用紙の大きさと指定される背表紙幅とに基づいて大きさが決定される表裏表紙部分に、読み込んだ原稿画像を印刷する第１の方法と、読み込んだ表裏表紙原稿を指定された背表紙幅だけ間隔を空けて表紙用用紙に印刷する第２の方法等が用いられている。
【０００５】
【発明が解決しようとする課題】
しかしながら、上記第１の方法で所定の大きさの表紙用用紙を作成する場合に、表紙の用紙サイズと背表紙部分の幅とから決定される表裏表紙部分の大きさに適合するサイズの表表紙部分の原稿と裏表紙部分の原稿とをあらかじめ用意しておく必要があった。
【０００６】
このため、上記従来の画像処理装置において、本文の厚みが変更されて背表紙の幅を変更すると、表表紙と裏表紙の大きさも変更されてしまうので、変更前の背表紙の幅に合わせた表表紙部分の原稿と裏表紙部分の原稿とを読み込んで表紙用用紙に印刷すると、表紙に印刷される表紙及び裏表紙の画像が欠けたり、意図しない余白が生成されてしまうので、表表紙及び裏表紙の大きさに合わせた表表紙部分の原稿と裏表紙部分の原稿を別途用意しなければならず、ユーザの製本作業にかかる負担が大きくなってしまうという問題点があった。
【０００７】
また、上記第２の方法で表紙を作成する際に、本文の厚みが変更され背表紙部の幅が変更した場合や、表紙画像の原稿サイズを変更した場合に、適切なサイズの用紙が給紙可能な給紙段を指定しないと表紙に画像が欠落して形成されたり、必要以上の余白が発生してしまうので、ユーザは背表紙幅等の変更毎に作成する表紙の大きさの画像が印刷可能な用紙サイズを自ら算出して最適なサイズが入っている給紙段を指定しなければならず、ユーザの操作負担が大きくなってしまうという問題点があった。
【０００８】
本発明は、上記の問題点を解決するためになされたもので、本発明の目的は、本文用の画像の像形成がなされた本文用の複数枚のシートで構成される本文用のシート束を背表紙部分を基準にカバー可能な表紙用の1枚のシートの同一面上に、表表紙用の画像と裏表紙用の画像を、画像処理装置により、配置させる場合に、背表紙幅を任意に変更しても該表表紙用の画像と該裏表紙用の画像が欠けることなく該表紙用の1枚のシートの同一面上に配置できる仕組みを提供することである。
【０００９】
また、本発明の目的は、表表紙用の画像と裏表紙用の画像が欠けることない最適サイズの表紙用の1枚のシートの同一面上に該表表紙用の画像と該裏表紙用の画像を配置できる仕組みを提供することである。
【００１０】
【課題を解決するための手段】
本発明に係る画像処理装置は、以下の特徴的構成を備える。
本文用の画像の像形成がなされた本文用の複数枚のシートで構成される本文用のシート束を背表紙部分を基準にカバー可能な表紙用の１枚のシートの為に画像処理を実行可能な画像処理装置であって、前記背表紙部分の幅を設定する設定手段と、表表紙の画像と裏表紙の画像とを入力する入力手段と、前記背表紙部分の幅と前記表表紙の画像を変倍した画像の前記表紙用の１枚のシートの長手方向の長さと前記裏表紙の画像を変倍した画像の前記表紙用の１枚のシートの長手方向の長さとを加算した長さが、前記表紙用の１枚のシートの長手方向の長さに応じた長さとなるように、前記表表紙の画像と前記裏表紙の画像とをそれぞれ変倍する第１の変倍手段と、前記表紙用の１枚のシートの同一面上に、前記第１の変倍手段により変倍された前記表表紙用の画像と前記第１の変倍手段により変倍された前記裏表紙用の画像とを、少なくとも前記背表紙部分の幅の間隔を空けて配置させる第１の制御手段とを有することを特徴とする。
【００１２】
本発明に係る画像処理装置の制御方法は、以下の特徴的構成を備える。
本文用の画像の像形成がなされた本文用の複数枚のシートで構成される本文用のシート束を背表紙部分を基準にカバー可能な表紙用の１枚のシートの為に画像処理を実行可能な画像処理装置の制御方法であって、前記背表紙部分の幅を設定する設定ステップと、表表紙の画像と裏表紙の画像とを入力する入力ステップと、前記背表紙部分の幅と前記表表紙の画像を変倍した画像の前記表紙用の１枚のシートの長手方向の長さと前記裏表紙の画像を変倍した画像の前記表紙用の１枚のシートの長手方向の長さとを加算した長さが、前記表紙用の１枚のシートの長手方向の長さに応じた長さとなるように、前記表表紙の画像と前記裏表紙の画像とをそれぞれ変倍する第１の変倍ステップと、前記表紙用の１枚のシートの同一面上に、前記第１の変倍ステップにより変倍された前記表表紙用の画像と前記第１の変倍ステップにより変倍された前記裏表紙用の画像とを、少なくとも前記背表紙部分の幅の間隔を空けて配置させる第１の制御ステップとを有することを特徴とする。
【００２３】
【発明の実施の形態】
〔第１実施形態〕
以下、本発明の第１実施形態について説明する。
【００２４】
〔装置概要説明〕
図１は、本発明の第１実施形態を示す画像処理装置の構成を説明する断面図である。以下、構成及び動作について説明する。
【００２５】
図において、１０００は本体装置（例えばデジタルカラー複写機）である。２０１は原稿台ガラス（原稿台）で、読み取られる原稿２０２が載置される。２１０はミラーユニットで、照明２０３及びミラー２０４等から構成され、モータ２０９により所定の速度Ｖで機械的に駆動される。２１１は第２のミラーユニットで、ミラー２０５，２０６等から構成され、モータ２０９により速度１／２Ｖでミラーユニット２１０と同一の方向に駆動される。
【００２６】
２０７は光学系で、レンズ等から構成される。２０８はＣＣＤで、ミラーユニット２１０，第２のミラーユニット２１１，光学系２０７を介して入力された原稿からの反射光を電気信号に変換する。なお、リーダ部は原稿台１０１〜第２のミラーユニット２１１等から構成される。
【００２７】
２１２は画像処理回路部で、読みとられた画像情報を電気信号として処理し、プリント信号として出力するところである。２１３，２１４，２１５，２１６は半導体レーザ（半導体レーザのユニット部）で、画像処理回路部２１２から出力されたプリント信号により駆動される。２２５，２２６，２２７，２２８は感光ドラムで、ポリゴンミラー２１７及びミラー２４０〜２５１を介して半導体レーザ２１３〜２１６で生成されたレーザ光が照射されて潜像が形成される。
【００２８】
２２１，２２２，２２３，２２４は現像器で、それぞれブラック（Ｂｋ），イエロー（Ｙ），シアン（Ｃ），マゼンダ（Ｍ）のトナーによって、感光ドラム２２５〜２２８上に形成された潜像を現像する。
【００２９】
２３４は転写ベルトで、レジストローラ２３３を介して用紙カセット２２９，２３０及び手差しトレイ２３２のいずれかから給紙された用紙を吸着して搬送する。転写ベルト２３４は、吸着した用紙を複数の感光ドラム２２８，２２７，２２６，２２５に順次搬送し、感光ドラム２２５〜２２８に形成されるトナー像を用紙に転写する。２３５は定着器で、転写ベルト２３４から分離され、搬送ベルト２３９により搬送される用紙にトナー像を定着させる。２３６は排紙トレイで、トナー像が定着された用紙が排出される。
【００３０】
２３７は操作部で、本体装置１０００に配置されるものであり、コピー動作を行う場合に使用者は操作部２３７を操作して各種設定，指示を行う。なお、操作部２３７の構成は後述する図１１で説明する。
【００３１】
上記のように構成された本体装置１０００において、例えば操作部２３７上のスタートキーが押下されると、原稿２０２は照明２０３により光が照射され、原稿からの反射光はミラー２０４，２０５を介して光学系２０７によりＣＣＤ２０８上に像が結ばれる。
【００３２】
更に、モータ２０９により、ミラー２０４，照明２０３を含むミラーユニット２１０は、速度Ｖで機械的に駆動され、ミラー２０５，２０６を含む第２ミラーユニット２１１は、速度１／２Ｖで駆動され、原稿２０２の全面が走査される。なお、以後ミラーユニット２１０が駆動される方向を副走査方向（若しくはライン方向）、副走査方向に直交する方向を主走査方向（若しくは画素方向）とする。
【００３３】
上記のように読み取った原稿２０２の画像をＣＣＤ２０８で電気信号に変換し、画像処理回路部２１２で該電気信号に所定の処理を施して、用紙の搬送に同期させて各半導体レーザ２１３〜２１６を駆動してレーザ光を各感光ドラム２２５〜２２８に照射し、各感光ドラム２２５〜２２８に潜像を形成する。該形成された潜像を現像器２２１〜２２４で各色のトナーで現像する
上記のように、あらかじめ感光ドラム２２５，２２６，２２７，２２８には、用紙の搬送に同期して各色のトナーが現像されており、転写ベルト２３４により搬送される用紙上に各感光ドラム２２５〜２２８上に形成されるトナーが転写されるようになっている。各色のトナーが転写された用紙は、分離／搬送され、定着器２３５によって、トナーが用紙に定着され排紙トレイ２３６に排紙される。したがって、現像された感光ドラム２２５〜２２８上の各色のトナーは、用紙に転写されフルカラーのプリントアウトがなされる。
【００３４】
〔画像処理回路部の構成〕
図２は、図１に示した画像処理回路部２１２の構成を説明するブロック図である。
【００３５】
図において、３２１はＣＰＵで、ＲＯＭ３２２に格納されている制御プログラムに基づいて画像処理回路部２１２の後述する各部および図１に示したミラーユニット２１０〜ＣＣＤ２０８等から構成される画像読み取り部等を統括的に制御する。３２３はＲＡＭで、バックアップデータの格納及びＣＰＵ３２１の作業領域として用いられる。
【００３６】
はそれぞれレッド（Ｒ），グリーン（Ｇ），ブルー（Ｂ）のＣＣＤである。３０１はＡ／Ｄ＆Ｓ／Ｈ部で、ＣＣＤセンサ２０８からの各色（ＲＧＢ）の信号を図示しないアナログ増幅器により増幅し、図示しないＡ／Ｄ変換器によりディジタル信号に変換して出力する。なお、Ｒ，Ｇ信号はそれぞれディレイメモリによってディレイされ、３つのＣＣＤセンサ２０８の空間的ずれが補正されて出力される。
【００３７】
３０２はシェーディング補正部で、Ａ／Ｄ＆Ｓ／Ｈ部３０１からの出力信号をシェーディング補正する。３０３は入力マスキング部で、シェーディング補正部３０２からの出力信号をＮＴＳＣ（Ｎａｔｉｏｎａｌ＿Ｔｅｌｅｖｉｓｉｏｎ＿Ｓｙｓｔｅｍ＿Ｃｏｍｍｉｔｔｅｅ）系のＲＧＢ信号に変換する。
【００３８】
３０４は第１の変倍処理部で、特に拡大時に画像信号を主走査方向に変倍する。なお、副走査方向の変倍はミラーユニットの駆動速度を制御することによって変倍される。３０５はＬＯＧ変換部で、第１の変倍処理部３０４を経た画像信号をＲＧＢ信号からＣＭＹ信号に変換する。３０６は色空間変換器であり、ＬＯＧ変換部３０５からのＣＭＹ信号を明度信号Ｌと色度信号ａ及びｂに変換する。ここでＬ，ａ，ｂ信号はＣＩＥ（国際照明委員会）で国際標準としてＬ，ａ，ｂ空間として規定される色度成分を表す信号であり、Ｌ，ａ，ｂ信号は次式で計算される。
【００３９】
【数１】
0004240644.tif 000002
ただし、αｉｊ，Ｘ０，Ｙ０，Ｚ０は定数である。Ｘ，Ｙ，ＺはＲ，Ｇ，Ｂ信号により発生される信号であり、以下の式による。
【００４０】
【数２】
0004240644.tif 000003
ただし、βｉｊは定数である。
【００４１】
３０７は符号化器で、明度情報であるＬ信号を４×４の画素ブロック単位で符号化し、該符号Ｌ＿ｃｏｄｅを出力すると共に、色度情報のａ，ｂ信号を４×４の画素ブロック単位で符号化し、該符号ａｂ＿ｃｏｄｅを出力する。３０８は特徴抽出回路（黒画素文字領域検出回路）で、図示しない黒画素検出回路，文字領域検出回路等から構成され、当該画素が黒信号であるかどうかを判定する。前記特徴抽出回路３０８では、黒画素検出回路によって、４×４の画素ブロック内が黒画素エリアであるか否かを判定し、更に文字領域検出回路により、当該画素が文字領域であった場合に黒判定信号は「１」となり、それ以外は「０」を出力する。
【００４２】
３０９は画像メモリで、明度情報の符号であるＬ＿ｃｏｄｅ信号，色度情報の符号であるａｂ＿ｃｏｄｅ信号，特徴抽出の結果である黒判定信号ｋ＿ｃｏｄｅ信号が蓄えられる。なお、画像メモリ３０９に対するデータのリード及びライトは、アドレスコントローラ３１８及びデータコントローラ３１９によって制御される。
【００４３】
３１０ａ（同様にして３１０ｂ，３１０ｃ，３１０ｄ）は復号化器で、画像メモリ３０９から読み出されたＬ＿ｃｏｄｅ信号により明度情報Ｌ信号を複号し、ａｂ＿ｃｏｄｅによって色度情報ａ信号及びｂ信号を復号する。３１１ａ（同様にして３１１ｂ，３１１ｃ，３１１ｄ）は色空間変換器で、復号化されたＬ，ａ，ｂ信号をトナー現像色であるマゼンダ（Ｍ），シアン（Ｃ），イエロー（Ｙ），ブラック（Ｂｋ）の各成分に変換する手段である。
【００４４】
３１２ａ（同様にして３１２ｂ，３１２ｃ，３１２ｄ）はマスキング／ＵＣＲ部で、図示しないマスキング部，ＵＣＲ部等から構成される。前記ＵＣＲ部では黒抽出回路により式「Ｂｋ＝ｍｉｎ（Ｍ，Ｃ，Ｙ）・・・（３）」に基づいて、黒信号Ｂｋが生成される。更にマスキング部において、黒判定信号が「０」すなわち当該画素が黒信号でないときは、Ｃ，Ｍ，Ｙ，Ｂｋの各信号に所定の係数ａ１，ａ２，ａ３，ａ４を乗じ、「（出力Ｃ，Ｍ，ＹｏｒＢｋ）＝ａ１Ｍ＋ａ２Ｃ＋ａ３Ｙ＋ａ４Ｂｋ・・・（４）」に示す和積演算が行われる。
【００４５】
また、黒判定信号が「１」すなわち当該画素が黒信号であるときは、Ｃ，Ｍ，Ｙ，Ｂｋの各信号に異なる所定の係数ｂ１，ｂ２，ｂ３，ｂ４を乗じ、「（出力Ｃ，Ｍ，ＹｏｒＢｋ）＝ｂ１Ｍ＋ｂ２Ｃ＋ｂ３Ｙ＋ｂ４Ｂｋ・・・（５）」に示す和積演算が行われる。
【００４６】
３１３ａ（同様にして３１３ｂ，３１３ｃ，３１３ｄ）はフィルタ処理判定部（フィルタＯＮ／ＯＦＦ判定部）で、符号化された画像コードに基づいて該画像ブロックのフィルタリング処理を決定し、判定信号を空間フィルタ部３１４ａに送る。フィルタ処理部３１４ａは、復号化されたＬ，ａ，ｂ信号に対して、フィルタ処理判定部３１３ａの判定結果に基づいて選択的に空間フィルタを施して画像補正する手段である。
【００４７】
３１５は第２の変倍処理部で、特に縮小時に画像信号を主走査方向に変倍する。なお、副走査方向の変倍は図１に示したミラーユニット２１０，２１１の駆動速度を制御することによって変倍される。第１の変倍処理部３０４と第２の変倍処理部３１５は、同じ回路を用いても良い。同じ回路を用いた場合はトライステートのゲート回路を用いて、ＣＰＵ３２１が変倍モードによって出力するゲートを制御するようにする。
【００４８】
３１６はガンマ補正部（γ補正部）で、プリンタ部（図１に示した各部２１３〜２３６等により構成されるプリンタ装置，出力装置）の画像出力特性によりＣ，Ｍ，Ｙ，Ｋ（Ｂｋ）データを補正する。３１７はエッジ強調部で、Ｃ，Ｍ，Ｙ，Ｋデータに対しスムージングフィルタ若しくは、エッジ強調フィルタをかけ、プリンタ部に出力画像データとして出力する。
【００４９】
３２０は区間信号生成部で、主走査区間信号ＷＬＥ，ＲＬＥと副走査区間信号ＷＰＥを生成し、また、プリンタ部から送られてくる副走査区間信号ＭＰＥ，ＣＰＥ，ＹＰＥ，ＫＰＥ（ＢＰＥ）をＭＰＥ１，ＣＰＥ１，ＹＰＥ１，ＫＰＥ１に加工して出力している。図２に示した各画像処理部は、これらの区間信号により出力制御される。
【００５０】
３２４は原稿サイズ検知部で、ＣＣＤ２０８により読み込まれた原稿画像の大きさを検知し、ＣＰＵ３２１に通知する。
【００５１】
〔装置タイミングチャート〕
図３は、本発明の実施形態を示す画像処理装置における制御信号を説明するタイミングチャートである。
【００５２】
図において、ＳＴＡＲＴ信号は、本実施形態における原稿読み取り動作開始を示す信号である。ＷＰＥ信号は、イメージスキャナ（リーダ部）が原稿を読み取り、画像処理回路部２１２により符号化処理し、該処理したデータを画像メモリ２０９に書き込み（メモリライト）を行う区間を示している。
【００５３】
ＩＴＯＰ信号は、プリント動作の開始を示す信号である。ＭＰＥ信号は、図１に示したマゼンタの半導体レーザ２１６を駆動する区間信号であり、ＣＰＥ信号は、図１におけるシアンの半導体レーザ２１５を駆動する区間信号であり、ＹＰＥ信号は、図１におけるイエロの半導体レーザ２１４を駆動する区間信号であり、ＢＰＥ信号は、図１におけるブラックの半導体レーザ２１３を駆動する区間信号である。
【００５４】
図に示すように、ＣＰＥ信号，ＹＰＥ信号，ＢＰＥ信号はそれぞれＭＰＥ信号に対してｔ１，ｔ２，ｔ３だけ遅延されている。この遅延時間ｔ１〜ｔ３は図１に示したｄ１，ｄ２，ｄ３に対し、ｔ１＝ｄ／Ｖ，ｔ２＝２ｄ／Ｖ，ｔ３＝３ｄ／Ｖ（Ｖは用紙の送り速度）なる関係を持つように制御される。
【００５５】
ＨＳＹＮＣ信号は、主走査同期信号である。ＣＬＫ信号は画素同期信号である。なお図示しないＷＬＥ信号，ＲＬＥ信号は、それぞれ１ＨＳＹＮＣ信号区間内でイメージスキャナから画像信号が入力されてくる、有効画像区間を表す区間信号である。
【００５６】
ＹＰＨＳ信号は、２ビットの副走査カウンタのカウント値であり、ＸＰＨＳ信号は、２ビットの主走査カウンタのカウント値であり、後述する図４に示すインバータ９０１，２ビットカウンタ９０２及び９０３等で構成される回路で発生される。ＢＬＫ信号は、画像ブロックの始まりを示す信号である。ＢＤＡＴＡ信号は、画素ブロックデータである。
【００５７】
図４は、図３に示したＹＰＨＳ信号，ＸＰＨＳ信号を生成する主走査カウンタ及び副走査カウンタの構成を説明するブロック図である。
【００５８】
図において、９０２は２ビットカウンタで、インバータ９０１を介してＳＴＡＲＴ信号が２ビットカウンタ９０２のＣＬＲ端子に、ＨＳＹＮＣ信号が２ビットカウンタ９０２のＣＬＫ端子に入力され、２ビットカウンタ９０２のＱ端子からＹＰＨＳ信号が出力される。
【００５９】
９０３は２ビットカウンタで、ＨＳＹＮＣ信号が２ビットカウンタ９０３のＣＬＲ端子に、ＣＬＫ信号が２ビットカウンタ９０３のＣＬＫ端子に入力され、２ビットカウンタ９０３のＱ端子からＸＰＨＳ信号が出力される。なお、カウンタ９０２，９０３から出力されるＹＨＰ信号，ＸＨＰ信号により図１に示した画像処理回路部２１２は入力画像を４画素×４画素の画素ブロック単位で処理することが可能となる。
【００６０】
〔画像メモリ部の構成〕
以下、図２に示した画像メモリ３０９，アドレスコントローラ３１８，データコントローラ３１９で構成される画像メモリ部について説明する。
【００６１】
本実施形態に使用される画像メモリ３０９はＤＲＡＭである。ＤＲＡＭのアクセスは、ＲＯＷアドレスとＣＯＬＵＭＮアドレス２つのアドレスとそれぞれのストローブ信号（ＲＡＳ信号，ＣＡＳ信号）、そしてイネーブル信号（ＷＥ信号）により制御される。
【００６２】
以下、図５〜図８を参照してアドレスコントローラ３１８の内部の構成及び動作を説明する。
【００６３】
図５，図６は、図２に示したアドレスコントローラ３１８の構成を説明するブロック図である。
【００６４】
図５，図６において、４００〜４１１はバッファで、後述するように各種信号が入力される。４１２〜４１６，４２１はフリップフロップ回路（Ｆ／Ｆ）である。４１７はインバータである。４２２はＡＮＤゲートである。４１８はＡＤＤＥＣである。
【００６５】
４２３は主走査アドレス発生部（ＸＣＯＵＮＴＥＲ）で、画像メモリ３０９への画像データ書き込み時に主走査方向アドレスを指定制御する書き込み主走査アドレス制御部と、画像メモリ３０９からの画像情報読み出し時に主走査方向アドレスを指定制御する読み出し主走査アドレス制御部とを有している。４２４は副走査アドレス発生部（ＹＣＯＵＮＴＥＲ）である。４２５はアドレスセレクト部（ＡＤＲ＿ＳＥＬ）で、画像メモリ３０９に対する書込みアドレスまたは読出しアドレスを発生する。４２６はメモリ制御信号発生部（ＲＣＣＯＮ）で、画像メモリ３０９に対する各種のタイミング信号を生成する。
【００６６】
４２７，４２８はディレイで、ＲＣＣＯＮ４２６から画像メモリ３０９に出力されるローアドレスストローブ信号とカラムアドレスストローブ信号の出力タイミングを遅延させる。４２９〜４３６は出力バッファである。なお、Ｆ／Ｆ４２１の反転出力とＦ／Ｆ４１６の非反転出力とをアンドして、そのアンド結果信号をカウンタ４２３，４２４に出力する。
【００６７】
アドレスコントローラ３１８は、主走査アドレス発生部４２３，副走査アドレス発生部４２４，アドレスセレクト部４２５，メモリ制御信号生成部４２６に大きく分けられる。
【００６８】
なお、本実施形態における画像処理装置は、４００ｄｐｉの解像度で、主走査方向最大２９７ｍｍ、副走査方向最大４３２ｍｍの画像を画像メモリ３０９に記憶させておくことが可能である。したがって、主走査アドレス発生部４２３，副走査アドレス発生部４２４はともにその大きさのメモリ空間にアクセスできるように１３ｂｉｔのアドレスカウンタになっている。
【００６９】
また、画像メモリ３０９に記憶できるデータ量は上記以外であっても本発明を適用できるのは言うまでもない。
【００７０】
以下、アドレスコントローラ３１８の動作について説明する。区間信号生成部３２０からバッファ４０７を通じて入力された主走査区間信号であるＷＬＥ信号，ＲＬＥ信号は、Ｆ／Ｆ４１３によって１クロック分遅延し、主走査アドレス発生部４２３に入力される。
【００７１】
また、同様にバッファ４０６から入力された副走査区間信号であるＷＰＥ信号，ＭＰＥ信号，ＣＰＥ信号，ＹＰＥ信号の各信号はＦ／Ｆ４１２によって１ＣＬＫ分遅延し、副走査アドレス発生部４２４に入力される。これらの区間信号が「Ｈ」のとき、有効画像区間であることを表す。
【００７２】
ＡＤＤＥＣ４１８は、ＣＰＵ３２１からバッファ４００，４０１，４０２，４０３，４０４，４０５を介し、ＡＤＲ信号，ＤＡＴＡ信号，ＸＣＳ信号，ＲＤ信号，ＷＲ信号，ＲＳＴ信号の各信号を受け取り、各レジスタヘのライト／リードを行う。
【００７３】
主走査アドレス発生部４２３には、前記区間信号のほかに、主走査の位相を表すＸＰＨＳ信号、カウンタの諸設定を行うＷＲ０信号，ＷＲ４信号，ＷＲ６信号，ＷＲＡ信号，ＷＲＣ信号が入力される。この主走査アドレス発生部４２３からは、ＤＲＡＭへの主走査ライトアドレス（ＸＡＷ信号）とＤＲＡＭからの主走査リードアドレス（ＸＡＲ信号）が出力される。
【００７４】
また、副走査アドレス発生部４２４からは、副走査ライトアドレスと副走査リードアドレスであるＹＡＷ０信号，ＹＡＲ１信号，ＹＡＲ２信号，ＹＡＲ３信号，ＹＡＲ４信号が出力され、ＡＤＲ＿ＳＥＬ４２５に入力される。そして、ＡＤＲ＿ＳＥＬ４２５によって主走査，副走査の位相に合わせて後述する図７に示す副走査アドレス発生部４２４内の５つのＹカウンタ５０２〜５０６の切り替え制御を行い、４つのアドレス信号Ａ０〜Ａ３として出力バッファ４２９〜４３２を介して、外部に出力される。なお、副走査アドレスコントローラ４２４の構成及び動作は後述する図７において説明する。
【００７５】
一方、ＲＣＣＯＮ４２６では、ＤＲＡＭのアクセスに必要なＷＥ信号，ＲＡＳ信号，ＣＡＳ信号と、データコントローラのＩ／Ｏポートを制御するＤＩＲ信号を生成する。
【００７６】
ＲＣＣＯＮ４２６で生成されたＲＡＳ信号，ＣＡＳ信号，ＷＥ信号の各信号は、デイレイライン４２７，４２８及び出力バッファ４３３〜４３５を経由して、図２に示した画像メモリ３０９に出力される。ディレイライン４２７，４２８は、コントロールすべきメモリの特性に従って、データのアクセスがうまく行えるようにタイミングの調整を行っている。また、ＤＩＲ信号は、出力バッファ４３６を経由してデータコントローラ３１９に出力される。
【００７７】
このアドレスコントローラ３１８から出力されたアドレス及びメモリ制御信号に従って、データコントローラ３１９と画像メモリ３０９間で画像データの受け渡しが行われる。データコントローラ３１９で、データ書き込み（データライト）とデータ読み出し（データリード）の切り替えや、復号化に必要な画像データの水増し処理、画像回転等の編集処理を行うときにデータアクセスの順番の制御などが行われた後、復号化器３１０に出力される。
【００７８】
図７は、図５に示した副走査カウンタ４２４の構成を説明するブロック図である。
【００７９】
図７において、５００，５０１はＣＥＮＢ＿ＳＥＬで、ＷＲＹ１２，ＷＲＹ２６の２つのレジスタに設定される値によって、カウンタ部５０２〜５０６のイネーブル制御を行う。５０２はカウンタ部（Ｙカウンタ）で、ライト用（書き込み用）のカウンタである。５０３〜５０６はカウンタ部（Ｙカウンタ）で、リード用（Ｍ，Ｃ，Ｙ，Ｋ各色のデータ読み出し用）のカウンタである。
【００８０】
上記のように、図５に示した副走査カウンタ４２４は、ライト用（Ｗ），リード用（Ｍ，Ｃ，Ｙ，Ｋ）の５つのカウンタ部５０２，５０３，５０４，５０５，５０６等から構成されている。なお、上記カウンタ部５０２〜５０６は以下の図８に示す構成を有している。また、図７に示した５つのカウンタ部５０２，５０３，５０４，５０５，５０６の中のそれぞれのＹカウンタ出力が、ＹＡＷ０信号，ＹＡＲ１信号，ＹＡＲ２信号，ＹＡＲ３信号，ＹＡＲ４信号である。
【００８１】
図８は、図７に示したカウンタ部５０２〜５０６の構成を説明するブロック図である。
【００８２】
図において、ＰＥ信号は副走査区間信号で、図７に示した各カウンタ部５０２〜５０６に入力される。６００はＦ／Ｆで、入力されるＰＥ信号を６クロック遅延してＦ／Ｆ６０３のＣＫ端子とＦ／Ｆ６０４のＤ端子に入力する。Ｆ／Ｆ６０３はＦ／Ｆ６００からの出力が「Ｌ」から「Ｈ」に変わるときに内部状態の反転が入力される。なお、Ｆ／Ｆ６０３のＰＲ端子には図２に示したＣＰＵ３２１からポート信号であるＰＲＳＥＴ信号が入力されており、ＣＰＵ３２１が任意にプリセットすることができる。
【００８３】
Ｆ／Ｆ６０３からの出力信号は、２ＴＯ１セレクタ６０５のセレクト信号に入力されている。２ＴＯ１セレクタ６０５のＡ入力にはレジスタＷＲ０、Ｂ入力にはレジスタＷＲ１がセットされていて１３ビットカウンタ（ＵＤＣＴ（Ｗ），カウンタ）６０７のロード値ＷＲに入力される。通常のコピー動作ではＷＲ０，ＷＲ１とも同じ値をセットするが、後述する背表紙モードで動作するときにはＷＲ０，ＷＲ１にそれぞれ異なる値をセットする。
【００８４】
Ｆ／Ｆ６０４の反転出力とＦ／Ｆ６００の出力とをＮＡＮＤゲート６０６を通し、１３ビットカウンタ６０７のＬＤ信号に入力する。この回路により、区間信号ＰＥがイネーブル状態になった瞬間に１３ビットカウンタ６０７にロードがかかる。
【００８５】
また、１３ビットカウンタ６０７のＥＮＢ信号には、主走査同期信号より生成されたＨＳ信号をインバータ６０２で反転した信号とＥＮ信号とを回路６０８でＯＲした信号が入力される。１３ビットカウンタ６０７はＨＳに同期したある主走査１区間でＥＮ信号にしたがった回数分カウント動作を行う。
【００８６】
ＷＲ３信号は、１３ビットカウンタ６０７のＵＰに入力されるカウンタのアップダウンの切り替え制御信号であり、ＷＲ３信号が「Ｌ」のときはアップカウントし、ＷＲ３信号が「Ｈ」のときはダウンする。
【００８７】
〔区間信号生成部の構成〕
以下、図９を参照して、図２に示した区間信号生成部３２０のＭＰＥ信号からＭＰＥ１信号を生成する回路構成を説明する。
【００８８】
図９は、図２に示した区間信号生成部３２０の回路構成の一部を説明するブロック図であり、区間信号生成部３２０が図３に示した各種の信号を所定のタイミングで発生させる回路に対応する。
【００８９】
図において、１１０１はフリップフロップ回路（Ｆ／Ｆ）で、ＭＰＥ信号，ＣＰＥ信号，ＹＰＥ信号，ＫＰＥ信号のいずれかが入力され、非反転出力がフリップフロップ回路１１０２に出力される。１１０３はセレクタで、Ｆ／Ｆ１１０１の非反転出力とＦ／Ｆ１１０２の反転出力が入力されるナンドゲート１１０４からの出力が入力され、該入力に基づいてレジスタＷＲ３に格納される値の反転値またはＷＲ４に格納される値のいずれかをイネーブル端子付きフリップフロップ１１０６に出力する。
【００９０】
イネーブル端子付きフリップフロップ１１０６のイネーブル端子には、Ｆ／Ｆ１１０１の非反転出力とイネーブル端子付きフリップフロップ１１１１のＲＣ端子からの出力とが入力されるアンドゲート１１０５の出力が入力され、イネーブル端子付きフリップフロップ１１０６のＬＤ端子には、イネーブル端子付きフリップフロップ１１０６のＲＣ端子の出力とナンドゲート１１０４からの出力とが入力されるアンドゲート１１０７の出力が入力される。
【００９１】
１１０９はコンパレータで、Ａ端子にはレジスタＷＲ５の値が入力され、Ｂ端子にはイネーブル端子付きフリップフロップ１１０６の出力が入力される。１１１０はＪＫ−フリップフロップで、Ｊ端子にはコンパレータ１１０９の出力が入力され、Ｋ端子にはインバータ１１０８を介したイネーブル端子付きフリップフロップ１１０６のＲＣ端子からの出力が入力され、ＣＬＲ端子にはナンドゲート１１０４の出力が入力される。
【００９２】
このＪＫ−フリップフロップ１１１０の非反転出力がＭＰＥ１信号、ＣＰＥ１信号，ＹＰＥ１信号，ＫＰＥ１信号となる。また、イネーブル端子付きフリップフロップ１１１１にはレジスタＷＲ６に格納される値が入力され、ＬＤ端子には、ナンドゲート１１０４の出力が入力される。なお、図中のＣＬＫ端子にはすべてＨＳＹＮＣ信号が入力される。
【００９３】
上記のように構成される回路において、Ｆ／Ｆ１１０１のＤ端子にＭＰＥ信号，ＣＰＥ信号，ＹＰＥ信号，ＫＰＥ信号が入力される。Ｆ／Ｆ１１０１のＱ端子からの出力は、Ｆ／Ｆ１１０２のＤ端子及びナンドゲート１１０４，アンドゲート１１０５に入力される。Ｆ／Ｆ１１０２の反転出力はナンドゲート１１０４に入力される。
【００９４】
ナンドゲート１１０４からの出力は、セレクタ１１０３のセレクト端子，アンドゲート１１０７に入力され、ＪＫＦ／Ｆ１１１０のＣＬＲ端子，イネーブル端子付きＦ／Ｆ１１１１のＬＤ端子に反転入力される。セレクタ１１０３のＡ端子には、レジスタＷＲ３、Ｂ端子にはレジスタＷＲ４の値が入力され、Ｙ端子からの出力はイネーブル端子付きＦ／Ｆ１１０６のＤ端子に入力される。
【００９５】
イネーブル端子付きＦ／Ｆ１１０６のＲＣ端子からの出力はアンドゲート１１０７に入力され、アンドゲート１１０７の出力はイネーブル端子付きＦ／Ｆ１１０６のＬＤ端子に反転入力される。また、イネーブル端子付きＦ／Ｆ１１０６のＲＣ端子からの出力は、インバータ１１０８を介してＪＫＦ／Ｆ１１１０のＫ端子と、イネーブル端子付きＦ／Ｆ１１１１のＥＮ端子に入力される。
【００９６】
イネーブル端子付きＦ／Ｆ１１０６のＱ端子からの出力は、セレクタ１１０９のＢ端子に入力される。また、セレクタ１１０９のＡ端子には、レジスタＷＲ５の値が入力されている。Ａ＝Ｂとなった場合のセレクタ１１０９からの出力は、ＪＫＦ／Ｆ１１１０のＪ端子に入力され、ＪＫＦ／Ｆ１１０６のＱ端子からＭＰＥ１信号，ＣＰＥ１信号，ＹＰＥ１信号，ＫＰＥ１信号が出力される。
【００９７】
以上により、プリンタ部から送られてくるＭＰＥ信号，ＣＰＥ信号，ＹＰＥ信号，ＫＰＥ信号を内部遅延分だけ送らせたＭＰＥ１信号，ＣＰＥ１信号，ＹＰＥ１信号，ＫＰＥ１信号が生成される。
【００９８】
〔区間信号生成部で生成される信号〕
図１０は、図２に示した区間信号生成部３２０により生成されるリード区間信号（ＭＰＥ１信号，ＣＰＥ１信号，ＹＰＥ１信号，ＫＰＥ１信号）を説明するタイミングチャートであり、図３と同一のものには同一の符号を付してある。
【００９９】
図において、ＭＰＥ信号，ＣＰＥ信号，ＹＰＥ信号，ＫＰＥ信号はプリンタ部から送られてくる副走査区間信号で、用紙サイズの長さ分（Ｔｌ）だけ「Ｈ」となっている。
【０１００】
ＭＰＥ１信号，ＣＰＥ１信号，ＹＰＥ１信号，ＫＰＥ１信号は区間信号生成部３２０の図９に示した回路により出力される信号である。ＭＰＥ１信号，ＣＰＥ１信号，ＹＰＥ１信号，ＫＰＥ１信号は内部遅延Ｔｄ分ディレイして、「Ｈ」に立ち上がり、原稿サイズの長さＴｌ分「Ｈ」の状態を保持する。
【０１０１】
〔操作パネルの構成〕
図１１は、図１に示した操作部２３７の構成を説明する平面図である。
【０１０２】
図において、１２１はスタートキーで、画像読み取り（複写動作を含む）を開始させるとき等に押下するキーである。１２２はストップキーで、実行されている複写動作を中止する時等に押下するキーである。１２３は置数キーで、複写枚数等の数値を入力する際に使用するキーである。
【０１０３】
１２４はモード設定キーで、画像処理モードを選択する際に押下するキーである。１２４ａは表紙モードキーで、表紙モードで画像形成する際に押下するキーである。１２５は表示部で、タッチキーを有し、画像処理装置の動作状態や設定状態を表示し、また後述する図１２〜図１６に示す画面を表示する。なお、本実施形態において表示部１２５はタッチキーを有する液晶ディスプレイで構成されているものとする。
【０１０４】
以下、図１２〜図１６を参照して図１１に示した表紙モードキー１２４ａが押下されたときに表示部１２５に表示される設定画面を説明する。
【０１０５】
図１２は、図１１に示した表示部１２５に表示される用紙給紙段選択画面を説明する図である。
【０１０６】
図において、１１００は表紙用紙給紙段選択画面である。１３１は給紙段選択キーで、「Ａ４」，「Ａ４」，「Ａ３」，「Ａ４（ＯＨＰシート等の光透過性シート）」，「手差し」キー等から構成される。なお、これらキーにタッチすることで選択される。１３２はＯＫキーで、給紙段の選択が終了した際に押下するキーで、このキーを押下すると、タッチパネルの表示は後述する図１３に示す背表紙幅入力画面１２００に遷移する。なお、ここでは給紙段は「Ａ４」が選択されたとする。
【０１０７】
２００１は状況表示ボックスで、画像処理装置の状況を表示するボックスであり、動作状況，エラー状況，コピー倍率，選択された用紙サイズ，印刷枚数等が表示される。２００２は等倍キーで、等倍率で読み込んだ原稿を複写する場合に押下する。
【０１０８】
２００３は縮小キーで、縮小して複写する場合に押下する。２００４は拡大キーで、拡大して複写する場合に押下する。２００５はズームキーで、原稿を任意の倍率で拡大／縮小して複写する場合に押下する。２００６は用紙選択キーで、印刷する用紙を選択する際に押下する。
【０１０９】
２００７は濃度選択キーであり、キー２００７ａを押下する毎に低濃度で印刷する設定となり、キー２００７ｃを押下する毎に高濃度で印刷する設定となり、キー２００７ｂを押下すると自動濃度設定を行う。２００８は文字印刷写真選択キーで、このキーを押下して、読み取る原稿画像がテキスト等の文章か写真等の画像かを選択することにより、その原稿に適した処理モードで印刷を行う。
【０１１０】
２１００はヘルプキーで、操作手順などがわからないときに押下すると、操作手順，操作方法等が表示される。２２００はＡＣＳ（オートカラーセレクト）キーで、このキーを押下すると、原稿を自動判別して印刷モードをフルカラー印刷あるいはモノクロ印刷のいずれかに自動的に設定する。２３００はフルカラーキーで、フルカラー印刷を行う場合に押下するキーである。２４００はブラックキーで、モノクロ印刷する場合に押下するキーである。
【０１１１】
２５００は原稿検知キーで、原稿台２０１に載置される原稿のサイズを検知させる場合や、図示しない原稿給送装置に置かれる原稿を検知させる場合に、押下するキーである。２６００はセンタ移動キーで、原稿台２０１に載置される原稿を給紙される用紙の中心に印刷する際に押下するキーである。
【０１１２】
図１３は、図１１に示した表示部１２５に表示される背表紙幅入力画面を説明する図である。
【０１１３】
図において、１２００は背表紙幅入力画面である。１４１は背表紙幅入力キーで、マイナスキー「−」を押下することにより、背表紙幅表示欄１４２に表示される背表紙幅が所定単位量（例えばｍｍ単位）減少し、プラスキー「＋」を押下することにより、背表紙幅表示欄１４２に表示される背表紙幅が所定単位量増加する。なお、背表紙幅表示欄１４２には、デフォルトで図２に示したＲＯＭ３２２あるいは不図示の不揮発性メモリ等に記憶される初期値（例えば１０ｍｍ）が表示される。また、この初期値は操作部２３７から自在に設定可能に構成してもよい。１４３はＯＫキーで、背表紙幅の入力が終了した際に押下するキーである。
【０１１４】
図１４は、図１１に示した表示部１２５に表示される背表紙モードスタンバイ画面を説明する図である。
【０１１５】
図において、１３００は背表紙モードスタンバイ画面である。１５１はモード表示欄で、背表紙モードが設定されていることが表示されている。
【０１１６】
図１５は、図１１に示した表示部１２５に表示される表表紙原稿読み取り画面を説明する図である。
【０１１７】
図において、１４００は表表紙原稿読み取り画面である。１６１は読込キーで、原稿台２０１に原稿を載置した後に押下するキーであり、表表紙の画像読取りを開始する。なお、状況表示ボックス２００１内には、現在の動作状況である「表表紙読込」が表示されている。
【０１１８】
図１６は、図１１に示した表示部１２５に表示される裏表紙原稿読み取り画面を説明する図である。
【０１１９】
図において、１５００は裏表紙原稿読み取り画面である。１７１は読込キーで、原稿台２０１に原稿を載置した後に押下するキーであり、裏表紙の画像読取りを開始する。なお、状況表示ボックス２００１内には、現在の動作状況である「裏表紙読込」が表示されている。
【０１２０】
〔出力結果〕
以下、図１７を参照して、本発明に係る画像処理装置における表紙原稿画像処理動作について説明する。
【０１２１】
図１７は、本実施形態に係る画像処理装置における出力結果の一例を説明する図である。
【０１２２】
図１７の（ａ）において、１６０１は表表紙原稿で、作成する表紙の表表紙に形成する画像の原稿であり、サイズはｌｈ×ｌｖである。１６０２は裏表紙原稿で、作成する表紙の裏表紙に形成する画像の原稿であり、サイズはｌｈ×ｌｖである。
【０１２３】
図１７の（ｂ）において、１６００は表紙で、サイズはＬｈ×Ｌｖである。１６０３は表表紙部で、表表紙原稿１６０１を読み取って、後述する図１８に示すフローチャートに基づいて変倍処理した画像が形成されている。１６０４は裏表紙部で、裏表紙原稿１６０２を読み取って、後述する図１８に示すフローチャートに基づいて変倍処理した画像が形成されている。１６０５は背表紙部で、指定された幅ｄで表表紙部１６０３と裏表紙部１６０４とを分離している。
【０１２４】
〔背表紙モードの動作〕
以下、図１８のフローチャートを参照して、本実施形態における背表紙モードの処理動作を説明する。
【０１２５】
図１８は、本発明に係る画像処理装置における第１のデータ処理手順の一例を説明するフローチャートであり、図２に示したＲＯＭ３２２に格納される制御プログラムに基づいてＣＰＵ３２１により実行される処理に対応する。なお、（１）〜（１５）は各ステップを示す。
【０１２６】
なお、ここでは、一例として図１７に示したサイズｌｈ×ｌｖの表表紙原稿１６０１と裏表紙原稿１６０２とをサイズＬｈ×Ｌｖの用紙に背表紙幅ｄの間隔を空けて表紙を作成する場合について説明する。また、本処理は、フィーダから表紙原稿を給送して表紙原稿処理を行う場合と、表紙原稿をフィーダにセットしないで、表紙原稿を原稿台に載置して表紙原稿処理を行う場合とに対応するので、ステップ（４）〜（７）とステップ（１１）〜（１４）とは同じ処理となっている。
【０１２７】
まず、操作者は図１１に示す操作部１２５からコピーモードの設定を行う。すなわち、モード設定キー１２４の表紙モードキー１２４ａが押下されて背表紙モードが選択されると、表示部１２５は図１２に示した表紙用紙給紙段選択画面１１００に遷移して、給紙段選択キー１３１に表示される用紙給紙段候補から用紙給紙段の指定を行う（１）。
【０１２８】
次に、用紙給紙段選択画面１１００のＯＫキー１３２を押下すると、表示部１２５は図１３に示した背表紙幅入力画面１２００に遷移して、使用者からの背表紙幅の設定入力を受け付ける（２）。なお、背表紙幅は、背表紙幅入力キー１４１の「＋」，「−」キーを押下することで指定することができる。
【０１２９】
次に、図示しないフィーダ（原稿給送装置）に表表紙、裏表紙になる原稿の少なくとも２枚以上セットされているかどうかを判断し（３）、フィーダに原稿がセットされていると判断した場合、すなわち表表紙，裏表紙になる原稿の少なくとも２枚以上の原稿がフィーダにセットされて、フィーダから原稿画像を読み込む場合は、ステップ（８）に進み、フィーダに原稿がセットされていないと判断した場合は、原稿台から原稿を読み込むと判断し、ステップ（４）に進む。
【０１３０】
このように、本実施形態では操作者は表表紙、裏表紙を図示しないフィーダを利用して読み込むか原稿台２０１に直接載置して読み込むかを選択することが可能である。なお、本実施形態では、表表紙、裏表紙になる原稿の少なくとも２枚以上フィーダ（ＲＤＦ）にセットすることによりフィーダから原稿を読み込む場合を説明しているが、１枚の原稿がフィーダにセットされている場合であっても、フィーダを用いて原稿を順次読み取るように構成してもよい。
【０１３１】
それから、ステップ（４）において、表示部１２５に図１５に示した表表紙原稿読み取り画面１４００を表示し、使用者が表表紙原稿を原稿台２０１に載置して図１５に示した読込キー１６１を押下すると、原稿を走査して表表紙原稿のサイズを検出する。そして、図２に示したＣＰＵ３２１はライトスタートアドレススタート値をアドレスコントローラ３１８内部のライトアドレスカウンタ（カウンタ部）５０２のレジスタＷＲ０，ＷＲ１（書込みアドレスを決定するためのレジスタ）にセットする。
【０１３２】
なお、本実施形態では図２に示した画像メモリ３０９の画像データの入出力は４×４画素単位で行われる。表表紙のライトスタートアドレスＷＲ０は、「００００ｈ」がセットされ、また、裏表紙のライトスタートアドレス値は、Ｌｈ／２＋ｄｈ／２に相当する画素の１／４に相当する値がレジスタＷＲ１にセットされる。同様に、リードアドレスカウンタ（カウンタ部）５０３，５０４，５０５，５０６のレジスタＷＲ０，１には画像メモリの先頭番地である「００００ｈ」がセットされる。
【０１３３】
次に、ステップ（２）で設定された表紙用紙給紙段に格納される用紙のサイズと背表紙幅と、ステップ（４）で検知された原稿サイズとから各表紙部に画像欠落なく画像出力するための変倍率をＣＰＵ３２１が算出する（５）。
【０１３４】
なお、ステップ（５）において、副走査方向の変倍率は表紙用紙の副走査方向長さと表紙用原稿サイズの副走査方向長さから「（Ｌｈ−ｄ）／（２×ｌｈ）×１００（％）」と計算され、主走査方向の変倍率は表紙用紙の主走査方向長さと原稿サイズの主走査方向長さから「Ｌｖ／１ｖ×１００（％）」となり、主走査と副走査の変倍率を比較して大きな方を変倍率として用いる。
【０１３５】
次に、ステップ（６）において、アドレスの設定と変倍率の計算が行われると再度表表紙原稿をステップ（５）で計算された変倍率で走査して表表紙原稿を読み込む。走査前にはアドレスコントローラ３１８に、ＣＰＵ３２１からアドレスコントローラ３１８内部の図８に示したＦ／Ｆ６０３に「Ｌ」レベルの信号が送られてきて、Ｆ／Ｆ６０３をプリセットしておく。
【０１３６】
このプリセットすることによってＦ／Ｆ６０３の出力は「Ｌ」となり、表表紙原稿が読み取られて、書き込みの副走査区間信号ＷＰＥが「Ｈ」になった瞬間に、カウンタ（アドレスカウンタ）６０７にはＷＲ０の値がロードされ、表表紙原稿が画像メモリ３０９の所定位置に書き込まれる。
【０１３７】
次に、ステップ（７）において、ステップ（６）で表表紙原稿の読み取りが終了すると、図１１に示した表示部１２５は図１６に示した裏表紙原稿読み取り画面に遷移する。操作者は裏表紙原稿を原稿台２０１に載置し図１６に示した読込キー１７１を押下すると、ステップ（５）で算出した変倍率で裏表紙原稿を走査することにより裏表紙原稿の画像の読み込みが開始され、Ｆ／Ｆ６０３が「Ｈ」になった瞬間、カウンタ６０７にはレジスタＷＲ１に設定された値がロードされる。こうして裏表紙原稿は画像メモリの所定位置に書き込まれる。
【０１３８】
次に、表示部１２５に図１４に示した背表紙モードスタンバイ画面１３００を表示して、背表紙モードが設定されスタートスタンバイ状態となり（８）、図１１に示したスタートキー１２１が押下されると（９）、図示しないフィーダに原稿がセットされているかどうか判定し（１０）、フィーダに原稿がセットされていないと判定した場合は、ステップ（１５）に進む。
【０１３９】
一方、ステップ（１０）において、フィーダに原稿がセットされていると判断した場合は、上述したステップ（４）〜（７）と同様の手順で、フィーダを駆動させて表表紙原稿を原稿台２０１に搬送し、表表紙原稿のサイズを検知し、ステップ（２）で設定された表紙用紙給紙段に格納される用紙のサイズと背表紙幅と、ステップ（１１）で検知された原稿サイズとから各表紙部の画像の変倍率を算出し（１２）、該算出した変倍率で表表紙原稿を走査することにより、表表紙原稿の画像を読み込み（１３）、フィーダを駆動させて表表紙原稿を原稿台２０１から排紙させるとともに裏表紙原稿を原稿台２０１に搬送し、ステップ（１２）で算出した変倍率で裏表紙原稿を走査することにより、裏表紙原稿の画像を読み込む（１４）。このように図示しないフィーダに原稿が置かれている場合は、スタートキー１２１が押下されると上記手順で表表紙、裏表紙が画像メモリ３０９に格納される。
【０１４０】
次に、原稿の読み取りが終了すると、ステップ（１５）において、図２に示したＣＰＵ３２１でプリンタ部に出力するためのリード区間信号の設定が行われる。なお、プリンタ部から送られてくる各色の副走査区間信号は、用紙サイズの長さだけ「Ｈ」になる信号である。
【０１４１】
図１０に示した区間信号であるＭＰＥ信号，ＣＰＥ信号，ＹＰＥ信号，ＬＰＥ信号は、プリンタ部から送られてくる副走査区間信号で、用紙サイズの長さ分だけ「Ｈ」となっている。区間信号生成部３２０の図９に示した回路でＭＰＥ１信号，ＣＰＥ１信号，ＹＰＥ１信号，ＫＰＥ１信号が出力される。ＰＥ１はＰＥの立ち上がりより内部遅延分Ｔｄだけディレイして「Ｈ」に立ち上がり、原稿サイズの長さ分「Ｈ」の状態を保持する。
【０１４２】
区間信号の設定が終了すると、ＣＰＵ３２１は、プリンタ部へ印字可能状態になったことを知らせ、記録紙への印刷を開始し、図１７の（ｂ）に示した表紙１６００を生成し、印刷が終了すると処理を終了する。
【０１４３】
以上のような制御を行うことにより、画像メモリ３０９内に格納された画像を出力し、表表紙と裏表紙とが指定された幅の背表紙部により分離された表紙を作成する。
【０１４４】
以上説明したとおり、本実施形態によれば、読み込んだ２枚の画像を操作者が指定した幅を空けて用紙に出力する際に、画像が欠けたり余白が生じない最適な変倍率を自動で計算して原稿を読み込むことで迅速かつ正確に背表紙（綴じ）部分をもった表紙用紙を作成することができる。
【０１４５】
なお、本実施形態において、算出される主走査と副走査の変倍率を比較して大きな方を変倍率として用いることにより、意図しない余白が生成されない表紙を作成することができる場合を説明しているが、小さな方を変倍率として用いることにより、原稿画像が欠落することなく表紙に印刷できる場合も本発明を適用できるのはいうまでもない。さらに、算出される主走査方向と副走査方向の変倍率が異なっている場合に、該算出される変倍率に基づいて読み込んだ表紙画像を主走査方向と副走査方向とで異なった変倍率で変倍して画像を表紙部に印刷することにより、意図しない余白も生成されず原稿画像が欠落することなく表紙に印刷できる場合も本発明を適用できるのはいうまでもない。
【０１４６】
したがって、本実施形態では背表紙部を有する表紙を簡単に作成するために、表紙となる用紙サイズと背表紙幅から表表紙画像と裏表紙画像とが欠けて表紙が形成されたり、表紙に必要以上の余白が出来ないような変倍率を自動で計算して、その変倍率で画像を読み込んで用紙に記録することで表紙を作成することができる。
【０１４７】
〔第２実施形態〕
上記第１実施形態では、指定される用紙サイズと指定される背表紙幅と検知される原稿サイズに基づいて原稿画像の変倍率を算出し、該算出結果により読み取った原稿画像を表裏表紙部の大きさに適合するように変倍して用紙に出力することにより読み込まれる表紙画像が欠落することのない表紙を作成する場合を説明したが、指定される背表紙幅と検知される原稿サイズに基づいて大きさが決定される表紙を作成する際に、画像を欠落させることなく表紙を印刷可能な最小の用紙が格納される用紙カセットを自動選択し、該選択された用紙カセットから給送される用紙に表紙を印刷するように構成してもよい。以下、その実施形態について説明する。
【０１４８】
なお、本実施形態で説明する画像処理装置は第１実施形態で示した画像処理装置と同様のものであり、図１〜図１６に示した構成，制御構成を有しており、図１〜図１６で説明する各種信号で制御し、操作画面を操作部で表示可能である。
【０１４９】
以下、図１９を参照して、本実施形態の画像処理装置において、読み取る原稿画像及び指定される背表紙幅と形成される画像の関係を説明する。
【０１５０】
図１９は、本実施形態に係る画像処理装置における出力結果の一例を説明する図であり、図１７と同一のものには同一の符号を付してある。
【０１５１】
図において、１８０１は表表紙部で、サイズがｌｈ×ｌｖの大きさの表表紙原稿が例えば等倍で印刷されている。１８０２は裏表紙部で、サイズがｌｈ×ｌｖの大きさの裏表紙原稿が例えば等倍で印刷されている。１８０３は背表紙部で、指定された間隔ｄで表表紙部１８０１と裏表紙部１８０２とを分離している。
【０１５２】
このように、作成する表紙の横の長さは２×ｌｈ＋ｄ、縦の長さはｌｖとなる。本実施形態の画像処理装置では、この表紙が欠落することなく印刷可能な最小の用紙Ｓが格納されている用紙カセットを自動的に選択して、該選択された用紙カセットから搬送される用紙に表紙を印刷することができる。
【０１５３】
〔背表紙モードの動作〕
以下、図２０のフローチャートを参照して、本実施形態における背表紙モードの処理工程を説明する。
【０１５４】
図２０は、本発明に係る画像処理装置における第２のデータ処理手順の一例を説明するフローチャートであり、図２に示したＲＯＭ３２２に格納される制御プログラムに基づいてＣＰＵ３２１により実行される処理に対応する。なお、（１）〜（２０）は各ステップを示す。
【０１５５】
なお、ここでは、一例として図１９に示したサイズｌｈ×ｌｖの表表紙原稿１８０１と裏表紙原稿１８０２と等倍で背表紙部１８０３の間隔ｄだけ空けて表紙を生成する場合について説明する。
【０１５６】
まず、操作者は図１１に示す操作部１２５からコピーモードの設定を行う。すなわち、モード設定キー１２４の表紙モードキー１２４ａが押下されて背表紙モードが選択されると、表示部１２５は図１３に示した背表紙幅入力画面１２００に遷移する。この画面では背表紙幅入力キー１４１の「＋」，「−」キーを押下して、表紙の背表紙部分の幅（所望幅）を指定する（１）。
【０１５７】
次に、ステップ（２）において、図示しないフィーダに表表紙，裏表紙となる原稿の少なくとも２枚以上セットされているかどうかを判断し（３）、フィーダに原稿がセットされていると判断した場合、すなわち表表紙，裏表紙になる原稿の少なくとも２枚以上の原稿がフィーダにセットされて、フィーダから原稿画像を読み込む場合は、ステップ（９）に進み、フィーダに原稿がセットされていないと判断した場合は、原稿台から原稿を読み込むと判断し、ステップ（４）に進む。
【０１５８】
なお、本実施形態において、操作者は表表紙，裏表紙を図示しないフィーダを利用して読み込むか原稿台２０１に直接載置して読み込むかを選択することが可能である。なお、本実施形態では、表表紙、裏表紙になる原稿の少なくとも２枚以上フィーダにセットすることによりフィーダから原稿を読み込む場合を説明しているが、１枚の原稿がフィーダにセットされている場合であっても、フィーダを用いて原稿を読み取るように構成してもよい。
【０１５９】
それから、ステップ（４）において、表示部１２５に図１５に示した表表紙原稿読み取り画面１４００を表示し、使用者が表表紙原稿を原稿台２０１に載置して図１５に示した読込キー１６１を押下すると、原稿をサイズを検知するためのスキャンを行い、主走査の原稿サイズｌｖ，副走査の原稿サイズｌｈが計算される。そして図２に示したＣＰＵ３２１はライトスタートアドレススタート値をアドレスコントローラ３１８内部のライトアドレスカウンタ（カウンタ部）５０２のレジスタＷＲ０，ＷＲ１にセットして、原稿台２０１に載置される表表紙原稿を読み込み（５）、表表紙画像を図２に示した画像メモリ３０９に書きこむ（６）。
【０１６０】
なお、ステップ（５），（６）において、本実施形態では図２に示した画像メモリ３０９の画像データの入出力は４×４画素単位で行われる。表表紙のライトスタートアドレスはレジスタＷＲ０は「００００ｈ」がセットされ、同様に、リードアドレスカウンタ（カウンタ部）５０３，５０４，５０５，５０６のレジスタＷＲ０，１には画像メモリの先頭番地である００００ｈがセットされる。
【０１６１】
また、走査前にはアドレスコントローラ３１８に、ＣＰＵ３２１からアドレスコントローラ３１８内部の図８に示したＦ／Ｆ６０３に「Ｌ」レベルの信号が送られてきて、Ｆ／Ｆ６０３をプリセットしておく。プリセットすることによってＦ／Ｆ６０３の出力は「Ｌ」となり、再度原稿が読み取られると書き込みの副走査区間信号ＷＰＥが「Ｈ」になった瞬間に、カウンタ（アドレスカウンタ）６０７にはＷＲ０の値がロードされ、表表紙原稿が画像メモリ３０９の所定位置に書き込まれる。
【０１６２】
次に、ステップ（７）において、ステップ（６）で表表紙原稿の読み取りが終了すると、図１１に示した表示部１２５は図１６に示した裏表紙原稿読み取り画面１５００に遷移する。操作者は裏表紙原稿を原稿台２０１に載置し、図１６に示した読込キー１７１を押下すると、原稿サイズ検知走査が行われ、主走査の原稿サイズｌｖ，副走査の原稿サイズｌｈが計算される。そして、裏表紙のライトスタートアドレス値が、ｌｈ＋ｄに相当する画素の１／４に相当する値がＷＲ１にセットされる。
【０１６３】
次に、ステップ（８）において、再度画像が読み込まれるとＦ／Ｆ６０３が「Ｈ」になった瞬間にカウンタ６０７にはＷＲ１の値がロードされ裏表紙の画像が画像メモリ３０９の所定位置に書き込まれる。
【０１６４】
次に、表示部１２５に図１４に示した背表紙モードスタンバイ画面１３００を表示して、背表紙モードが設定されスタートスタンバイ状態となり（９）、図１１に示したスタートキー１２１が押下されると（１０）、図示しないフィーダに原稿がセットされているかどうか判定し（１１）、フィーダに原稿がセットされていないと判定した場合は、ステップ（１５）に進む。
【０１６５】
一方、ステップ（１１）において、フィーダに原稿がセットされていると判断した場合は、上述したステップ（４）〜（８）と同様の手順で、フィーダを駆動させて表表紙原稿を原稿台２０１に搬送し、表表紙原稿のサイズを検知し（１２）、表表紙原稿を走査することにより、表表紙原稿の画像を読み込み画像メモリ３０９に格納し（１３）、フィーダを駆動させて表表紙原稿を原稿台２０１から排紙させるとともに裏表紙原稿を原稿台２０１に搬送し、裏表紙原稿を走査することにより、裏表紙原稿のサイズを検知すると共に画像を読み込み画像メモリ３０９に格納する（１４）。このように図示しないフィーダに原稿が置かれている場合は、スタートキー１２１が押下されると上記手順で表表紙、裏表紙が画像メモリ３０９に格納される。
【０１６６】
次に、原稿の読み取りが終了すると表紙となる画像を出力するための最適な用紙サイズの計算をＣＰＵ３２１が行う（１５）。この計算の結果、表紙用紙サイズとして副走査サイズ（２×ｌｈ＋ｄ），主走査サイズｌｖが必要であることがわかり、用紙カセット２２９，２３０及び手差しトレイ２３２に挿入されている用紙サイズとステップ（１５）において計算された必要となる用紙サイズとの比較を行い、副走査サイズ（２×ｌｈ＋ｄ），主走査サイズｌｖをそれぞれ越える（以上でも良い）最も小さい用紙を最適サイズの用紙と決定する。
【０１６７】
次に、決定された最適サイズの用紙が図１に示した用紙カセット２２９，２３０に格納されるかあるいは手差しトレイ２３２に載置されているかを判断し（１６）、最適用紙サイズがあると判断した場合は、ステップ（１９）に進み、またいずれの用紙サイズも表紙用紙として適さない場合は、「最適サイズを補給してください」のメッセージが操作部２３７の表示部１２５に表示されるとともに、警告を発し用紙の補給をユーザに促し（１７）、最適サイズの用紙が補給されたかどうかを判断し（１８）、最適サイズの用紙が補給されるまで待ってステップ（１９）に進む。
【０１６８】
次に、最適用紙サイズが決まると、最適サイズの用紙が格納される用紙カセット２２９，２３０，手差しトレイ２３２いずれかから用紙が給紙され（１９）、ステップ（２０）において、ＣＰＵ３２１でプリンタ部に出力するためのリード区間信号の設定が行われる。なお、プリンタ部から送られてくる各色の副走査区間信号は、用紙サイズの長さだけ「Ｈ」になる信号である。
【０１６９】
図１０に示した区間信号生成部３２０によって生成される区間信号であるＭＰＥ信号，ＣＰＥ信号，ＹＰＥ信号，ＫＰＥ信号は、プリンタ部から送られてくる副走査区間信号で、用紙サイズの長さ分だけ「Ｈ」となっている。区間信号生成部３２０の図９に示した回路でＭＰＥ１信号，ＣＰＥ１信号，ＹＰＥ１信号，ＫＰＥ１信号が出力される。ＰＥ１はＰＥの立ち上がりより内部遅延分Ｔｄだけディレイして「Ｈ」に立ち上がり、原稿サイズの長さ分「Ｈ」の状態を保持する。区間信号の設定が終了すると、図２に示したＣＰＵ３２１は、プリンタ部に印字可能状態になったことを知らせ、記録紙への印刷を開始する。ステップ（２０）において以上のような制御を行うことにより、画像メモリ３０９内に格納された画像を出力し背表紙を作成し、処理を終了する。
【０１７０】
以下、一例を用いて上述した処理を説明する。例えば用紙カセット２２９，２３０にＡ４，Ａ３サイズの２種類の用紙が格納されている本体装置１０００において、サイズがＡ４より大きくＢ４より小さい表紙を出力する場合に、用紙カセット２９９，２３０に格納される用紙のうち、表紙を出力できる最小の用紙サイズはＡ３であるので、最適用紙サイズは「Ａ３」である。したがって、Ａ３サイズの用紙が格納される用紙カセットから用紙を給紙し、表紙を出力する。なお、表紙サイズ以上の用紙が用紙カセット２９９，２３０に格納されていない場合（例えばＡ３サイズの用紙が空になっていた場合もしくは元々表紙サイズより大きいサイズの用紙が用紙カセット２９９，２３０に格納されていなかった場合等）は、操作部で警告を発してユーザにＢ４サイズ用紙の補給を促す。
【０１７１】
このように、本実施形態によれば、表紙用紙を作成するために読み込んだ２枚の画像を操作者が指定した幅を空けて用紙に出力する際に、表紙に記録する原稿のサイズと背表紙部分の幅から画像が欠落しない最適な用紙サイズを計算して、用紙給紙段から自動給紙することで迅速かつ正確に背表紙（綴じ）部分を作成することができ、表紙作成を簡単に行うことができる。
【０１７２】
なお、本実施形態において、読み取った原稿画像を等倍で表紙に印刷する場合を説明しているが、読み取った原稿画像を所定のあるいは指定された倍率で変倍し、該変倍された画像の大きさと指定された背表紙の幅とに基づいた大きさの表紙を作成する場合にも本発明を適用できる。
【０１７３】
さらに、上記各実施形態において、フィーダを用いて原稿画像を読み込む場合に、２枚以上の原稿画像を読み込む場合を説明しているが、１枚の原稿の両面を読み取って表表紙及び裏表紙に印刷するように構成してもよい。
【０１７４】
また、上記各実施形態において、原稿画像をリーダ部から読み取る場合を説明しているが、図示しないネットワーク等の通信媒体を介して接続されるホストコンピュータ，ネットワークスキャナ等の情報処理装置及び画像処理装置から送信される画像データ等のデータに上記のような処理を施して表紙を作成するように構成してもよい。
【０１７５】
また、上記各実施形態において、デジタルカラー複写機を一例に上げて説明しているが、モノクロ複写機，アナログ複写機，電子写真装置，プリンタ装置等であっても本発明を適用できる。
【０１７６】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出して実行することによっても、本発明の目的が達成されることは言うまでもない。
【０１７７】
この場合、記憶媒体から読み出されたプログラムコード自体が本発明の新規な機能を実現することになり、そのプログラムコードを記憶した記憶媒体は本発明を構成することになる。
【０１７８】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１７９】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１８０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１８１】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０１８２】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０１９５】
【発明の効果】
以上説明したように、本発明に係る発明によれば、本文用の画像の像形成がなされた本文用の複数枚のシートで構成される本文用のシート束を背表紙部分を基準にカバー可能な表紙用の1枚のシートの同一面上に、表表紙用の画像と裏表紙用の画像を配置させる場合に、背表紙部分の幅を任意に設定しても、該表表紙用の画像と該裏表紙用の画像とを該表紙用の1枚のシートの同一面上に適切に配置することができるようになる。
【図面の簡単な説明】
【図１】本発明の第１実施形態を示す画像処理装置の構成を説明する断面図である。
【図２】図１に示した画像処理回路部の構成を説明するブロック図である。
【図３】本発明の実施形態を示す画像処理装置における制御信号を説明するタイミングチャートである。
【図４】図３に示したＹＰＨＳ信号，ＸＰＨＳ信号を生成する主走査カウンタ及び副走査カウンタの構成を説明するブロック図である。
【図５】図２に示したアドレスコントローラの構成を説明するブロック図である。
【図６】図２に示したアドレスコントローラの構成を説明するブロック図である
【図７】図５に示した副走査カウンタの構成を説明するブロック図である。
【図８】図７に示したカウンタ部の構成を説明するブロック図である。
【図９】図２に示した区間信号生成部の回路構成の一部を説明するブロック図である。
【図１０】図２に示した区間信号生成部により生成されるリード区間信号を説明するタイミングチャートである。
【図１１】図１に示した操作部の構成を説明する平面図である。
【図１２】図１１に示した表示部に表示される用紙給紙段選択画面を説明する図である。
【図１３】図１１に示した表示部に表示される背表紙幅入力画面を説明する図である。
【図１４】図１１に示した表示部に表示される背表紙モードスタンバイ画面を説明する図である。
【図１５】図１１に示した表示部に表示される表表紙原稿読み取り画面を説明する図である。
【図１６】図１１に示した表示部に表示される裏表紙原稿読み取り画面を説明する図である。
【図１７】本実施形態に係る画像処理装置における出力結果の一例を説明する図である。
【図１８】本発明に係る画像処理装置における第１のデータ処理手順の一例を説明するフローチャートである。
【図１９】本実施形態に係る画像処理装置における出力結果の一例を説明する図である。
【図２０】本発明に係る画像処理装置における第２のデータ処理手順の一例を説明するフローチャートである。
【符号の説明】
３０９  画像メモリ
３２０  区間信号生成部
３２１  ＣＰＵ
３２２  ＲＯＭ
３２３  ＲＡＭ
【図１】
0004240644.tif 000004
【図２】
0004240644.tif 000005
【図３】
0004240644.tif 000006
【図４】
0004240644.tif 000007
【図５】
0004240644.tif 000008
【図６】
0004240644.tif 000009
【図７】
0004240644.tif 000010
【図８】
0004240644.tif 000011
【図９】
0004240644.tif 000012
【図１０】
0004240644.tif 000013
【図１１】
0004240644.tif 000014
【図１２】
0004240644.tif 000015
【図１３】
0004240644.tif 000016
【図１４】
0004240644.tif 000017
【図１５】
0004240644.tif 000018
【図１６】
0004240644.tif 000019
【図１７】
0004240644.tif 000020
【図１８】
0004240644.tif 000021
【図１９】
0004240644.tif 000022
【図２０】
0004240644.tif 000023